(57)【要約】【課題】排尿部ないし陰部に対して便が付着しにくく、おむつの交換を容易且つ衛生的に行うことのできる使い捨ておむつを提供すること。【解決手段】液透過性の表面シート２、液不透過性の裏面シート３及び液保持性の吸収体４を備えた使い捨ておむつにおいて、腹側部Ａにおける前記裏面シート３上に、大便を収容する便収容部４４と、該便収容部４４上に液を保持可能で且つ大便を透過しない便遮蔽層４２を有しており、便収容部４４は、大便を導入するための便導入口４５を有しており、該便収容部４４内に収容された大便が前記便遮蔽層４２により遮断されて着用者の肌に接触しないようになされている。【選択図】　　図１
2004008301.tif 000002
【特許請求の範囲】
【請求項１】
液透過性の表面シート、液不透過性の裏面シート及び液保持性の吸収体を備えた使い捨ておむつにおいて、
腹側部における前記裏面シート上に、大便を収容する便収容部と、該便収容部上に液を保持可能で且つ大便を透過しない便遮蔽層を有しており、
前記便収容部は、大便を導入するための便導入口を有しており、該便収容部内に収容された大便が前記便遮蔽層により遮断されて着用者の肌に接触しないようになされている使い捨ておむつ。
【請求項２】
前記便収容部は、所定の空間保持手段によって内部空間が維持されるようになされている請求項１記載の使い捨ておむつ。
【請求項３】
前記空間保持手段が、前記便遮蔽層のおむつ長手方向の両側部を前記裏面シート側から支持するように配された空間保持体である請求項２記載の使い捨ておむつ。
【請求項４】
前記空間保持手段が、おむつ長手方向に沿って張設された一対の弾性部材であり、前記便遮蔽層のおむつ長手方向の両側部が一対の該弾性部材に直接的又は間接的に固定されている請求項２記載の使い捨ておむつ。
【請求項５】
腹側部における前記裏面シート上に液保持性の吸収体が配されており、前記便収容部が、該吸収体と前記便遮蔽層との間に形成されている請求項１〜４の何れか記載の使い捨ておむつ。
【請求項６】
前記便遮蔽層は、少なくとも液保持層と便不透過層とが積層された積層構造を有し、着用者側に前記液保持層が位置し、前記便収容部側に前記便不透過層が位置している請求項１〜５の何れか記載の使い捨ておむつ。
【発明の詳細な説明】
【０００１】
【発明の属する技術分野】
本発明は、排尿部ないし陰部に対して便が付着しにくく、おむつの交換を容易に行うことができ、また、身体に付着した便の拭きすぎ又は拭き残しによるカブレを防止することのできる使い捨ておむつに関する。
【０００２】
【従来の技術及び発明が解決しようとする課題】
従来、使い捨ておむつにおいては、便や尿の漏れを防止するための様々な工夫がなされてきた。
しかし、従来の使い捨ておむつは、排泄された便が、着用中やおむつ交換の際に、臀部や肛門部のみならず、着用者の排尿部ないし陰部に対して付着し易く、特に新生児から低月齢の乳幼児の軟便や、月齢や年齢を問わずに下痢便の場合には、その傾向が強い。
このように、着用者の排尿部ないし陰部に付着した便は、拭き取りにくく、その処理が、親や介護者等による、おむつ交換の際の負担となっており、更に拭き残した便が刺激となってカブレを起こす場合もある。
【０００３】
従って、本発明は、排尿部ないし陰部に対して便が付着しにくく、おむつの交換を容易に行うことができ、また、身体に付着した便の拭きすぎ又は拭き残した便の刺激によるカブレを防止することのできる使い捨ておむつを提供することにある。
【０００４】
【課題を解決するための手段】
本発明は、液透過性の表面シート、液不透過性の裏面シート及び液保持性の吸収体を備えた使い捨ておむつにおいて、腹側部における前記裏面シート上に、大便を収容する便収容部と、該便収容部上に液を保持可能で且つ大便を透過しない便遮蔽層を有しており、前記便収容部は、大便を導入するための便導入口を有しており、該便収容部内に収容された大便が前記便遮蔽層により遮断されて着用者の肌に接触しないようになされている使い捨ておむつを提供することにより、上記の目的を達成したものである。
【０００５】
【発明の実施の形態】
以下、本発明をその好ましい実施形態に基づいて詳細に説明する。
第１実施形態の使い捨ておむつ１Ａは、図１及び図２に示すように、液透過性の表面シート２、液不透過性の裏面シート３及び液保持性の吸収体４を備え、着用時に、着用時に着用者の腹側に配される腹側部Ａ及び着用者の背側に配される背側部Ｂを有している。本使い捨ておむつ１Ａは、いわゆる展開型のおむつであり、背側部Ｂの両側縁部にファスニングテープ５，５を有し、腹側部Ａの外表面に、ファスニングテープ５，５を止着するランディングゾーン（図示せず）を有している。また、吸収体４の長手方向の両側部に沿って、一対のサイド立体ギャザー７が設けられている。
【０００６】
吸収体４は、平面視して長方形状であり、腹側部Ａ及び背側部Ｂに亘るように配されている。吸収体４は、腹側部Ａ及び背側部Ｂに亘るように配された下部吸収体４１と、腹側部Ａにおける下部吸収体４１上に積層させて配された便遮蔽層としての上部吸収体４２と、下部吸収体４１と上部吸収体４２との間に介在する側部吸収体〔空間保持体（空間保持手段）〕４３とからなる。
そのため、腹側部Ａにおける吸収体４は、下部吸収体４１と上部吸収体４２とが積層された２層構造部分Ｓを有している。
【０００７】
側部吸収体４３は、下部吸収体４１及び上部吸収体４２よりも細幅の柱状に形成されており、下部吸収体４１と上部吸収体４２とを少なくとも一部において離間させる役割を有する。
本実施形態における側部吸収体（空間保持体）４３は、厚み方向の圧縮に対して圧縮回復性（圧縮により厚みが減少し、その圧縮力を取り除くと厚みをある程度回復する性質）を有しており、また、平面視して縦長の矩形状をなし、吸収体４の長手方向の両側部それぞれに、吸収体４の長手方向に沿って配されている。側部吸収体４３は、それぞれ、上部吸収体４２の背側部Ｂ寄りの一端部から反対側の端部に亘って配されている。
【０００８】
この側部吸収体４３により、２層構造部分Ｓにおける下部吸収体４１と上部吸収体４２とは、吸収体４の幅方向の中央領域において互いに離間しており、離間した両吸収体４１，４２間に便収容部４４が形成されている。また、便収容部４４は、背側部Ｂ寄りの端部に便導入口４５を有している。
【０００９】
通常、使い捨ておむつにおいては、背側部Ｂに排泄された便が、着用中やおむつ交換の際に着用者のおしりに潰されると、その便はおむつの内表面上を拡散して拡がることになるが、本実施形態の使い捨ておむつ１Ａによれば、図３に示すように、そのようにして腹側部Ａ側に拡がった便Ｕが、上述した便収容部４４内に収容されるため、便が排尿部ないし陰部に付着しにくい。これにより、排尿部ないし陰部に付着した便を拭き取る作業が、不要であるか大幅に軽減され、おむつの交換に伴う負担が大幅に軽減される。また、便が着用者の排尿部ないし陰部に付着しにくく、拭きすぎによるカブレや拭き残しによるカブレを低減できる。
【００１０】
斯かる効果が確実に奏されるようにする観点から、便収容部４４の内部容積は１５ｃｍ３以上、特に３０ｃｍ３以上であることが好ましい。また、便収容部４４の便導入口４５は、背側部Ｂ寄りの端部に、２ｃｍ以上の幅、特に５ｃｍ以上の幅に亘って開口していることが好ましい。また、便収容部４４の便導入口４５は、便の排泄ポイント（肛門に対向配置される部位）Ｐからの距離Ｌ（図３参照）が１〜１０ｃｍ、特に２〜５ｃｍ程度であることが好ましい。通常、便の排泄ポイントは、おむつを着用した状態で股下部より若干背側寄りであり、前後の長さを対称に設計したおむつであれば、長さ方向１／２の位置から１〜５ｃｍ程度背側寄りである。
【００１１】
また、上部吸収体（便遮蔽層）４２は、上部吸収体４２上に排泄された尿を充分に吸収保持させる観点から、液吸収容量が３０ｇ以上、特に６０ｇ以上であることが好ましい。尚、新生児から低月齢の乳幼児の一回当たりの排泄量は３０ｇ程度であり、最低一回分くらいの尿を吸収できることが望まれる。
〔液吸収容量の測定方法〕
使い捨ておむつから上部吸収体４２を取り出し、ナイロンからなるメッシュ＃２５０の網袋に入れる。尚、上部吸収体４２と空間保持体４３とが一体的に成形されている場合は、空間保持体部分を取り除く。
そして、上部吸収体４２が入った網袋を、濃度０．９重量％の生理食塩水に３０分以上完全に浸漬し、浸漬後の網袋を、遠心分離器にセットし、１４３Ｇ（８００ｒｐｍ）で１０分間の条件で遠心して脱水する。そして、遠心脱水後の網袋（上部吸収体入り）の重量から液浸漬前の網袋（上部吸収体入り）の重量を差し引いた重量を、上部吸収体の液吸収容量とする。
【００１２】
また、上部吸収体（便遮蔽層）４２は、便収容部４４に収容された便が上部吸収体４２を貫通して着用者の肌に接する面に漏れ出さないようにする観点から、大便を透過しないことが必要である。具体的には、下記測定法により測定した液通過時間が１２０秒以上であることが好ましい。
〔液通過時間の測定方法〕
試験液の調製；ウエハラ化学製の「クラノール」（ポリビニルアルコール（ＰＶＡ）系の合成洗濯糊）７５０ｇに、食用青色１号を添加し、更にイオン交換水を加え、２５℃における粘度を１５ｍＰａ・Ｓに調整した。
試験；便遮蔽層のサンプルを、内径３５ｍｍの一対のガラス製円筒間に挟んで固定し、上方の円筒内に上記の試験液３０ｇを一気に流し込み、試験液がサンプルを通過するまでの時間を測定した。
【００１３】
上部吸収体４２としては、液保持性の繊維集合体のみからなるもの、上層が液保持性の繊維集合体で下層が液不透過性材料からなるもの、そして繊維集合体及び高吸収性ポリマーからなるもの等が挙げられる。上述した液吸収容量を実現できればいずれを採用しても構わないが、液保持性が高く、かつ便遮蔽効果が高いことから、繊維集合体及び高吸水性ポリマーからなることが好ましい。繊維集合体の形態は、不織布でも繊維ウエブでも良く、高吸水性ポリマーの存在形態は、繊維集合体の繊維間隙に分散した状態で保持されていても、繊維材料からなる不織布や繊維ウエブ間にサンドイッチされていても良い。繊維集合体を構成する繊維としては、パルプ繊維、レーヨン、コットン、酢酸セルロース等の親水性繊維、ポリエチレン、ポリプロピレン等のポリオレフィン系繊維、ポリエチレンテレフタレート等のポリエステル、ポリアミド等の縮合系繊維、ポリ塩化ビニル、ポリ酢酸ビニル等のビニルモノマー重合体の繊維等が挙げられる。これらは単一の成分からなるものでも複数成分からなるサイド・バイ・サイド型又は芯鞘型等の複合繊維であっても良い。高吸水性ポリマーとしては、各種公知のものを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、上部吸収体は、台紙や液透過性の不織布からなる被覆シートで被覆されていても良く、この場合、液吸収容量は、これらを含めて測定する。
【００１４】
下部吸収体４１の構成は、特に制限されず、従来公知の使い捨ておむつの各種吸収体を用いることができる。例えば、上部吸収体４２と同様の繊維集合体及び高吸水性ポリマーからなるものの他、繊維集合体のみからなるもの等を用いることもできる。
【００１５】
また、側部吸収体４３の構成材料としては、上述した上部吸収体４２又は下部吸収体４１と同様のものを用いることができる。
【００１６】
第１実施形態の使い捨ておむつ１Ａには、図４に示すように、便導入口４５の近傍に、吸収体４の幅方向に亘って立体ギャザー６が設けられている。
斯かる立体ギャザー６を設けることにより、前身頃方向への便の拡散が抑制されるとともに、便収容部内に効果的に便を導入し収納することができる。
斯かる効果が一層確実に奏されるようにする観点から、立体ギャザー６の固定端は、便導入口近傍の上部吸収体４２上（より具体的には上部吸収体４２の肌側に向けられる面を覆う表面シート２１上）に固定されていることが好ましい。尚、立体ギャザー６は、弾性部材６１を有する立体ギャザー形成用のシート材６２を、その一側縁部を上部吸収体４２上に固定して固定端とすると共に、その一側縁部に直交する方向の両端縁部を上部吸収体４２上又は吸収体４の外側部分に固定することにより、弾性部材６１が配された自由端側が着用時に起立するように設けてある。
【００１７】
第１実施形態の使い捨ておむつ１Ａは、液透過性の表面シート２として、上部吸収体４２の肌側に向けられる面を覆う第１表面シート２１と、下部吸収体４１の肌側に向けられる面を覆う第２表面シート２２とを有しており、第１表面シート２１は、上部吸収体４２を包むようにその全体を被覆しており、第２表面シート２２は、下部吸収体２２及びその上に配置された側部吸収体（空間保持体）４３の肌側に向けられる面側を被覆している。便収容部４４の便導入口４５は、何れの表面シートにも被覆されておらずに開放状態とされている。
便導入口４５が表面シート２に被覆されていないと、便中の水分、あるいは軟便や下痢便が、表面シート中を拡散して身体にヌレ広がるのを防止できると共に、表面シートにより便の便収容部内への収容が阻害されることなく、効果的に便の収容が成される。
【００１８】
第１実施形態の使い捨ておむつ１Ａにおける便収容部４４内には、図２（ａ）に示すように、嵩高不織布８が配されている。便収容部４４内に嵩高不織布８が配されていると、体圧により便収容部がつぶされ、容積が縮小してしまうことを防ぐことができる。即ち、例えば、便遮蔽層として、例えば粉砕パルプ／吸収ポリマーからなる均一混合体をティッシュで包んだものを用いた場合、該層が尿を吸収すると（湿潤により剛性が下がる）、便収容部がつぶされてしまう怖れがある。嵩高不織布の抗圧縮力を利用することで、収容部の容積を確保することができる。斯かる観点から、嵩高不織布は、弾性率の高いＰＥＴ系の不織布であることが好ましい。また、繊維集合体を配することで便収容部内の便の拡散を防止することもできる。
【００１９】
斯かる効果を確実に得る観点から、嵩高不織布８の見掛け密度は０．００２〜０．１ｇ／ｃｍ３、特に０．０１〜０．０７５ｇ／ｃｍ３であることが好ましい。
嵩高不織布の見掛け密度は、使い捨ておむつから嵩高不織布を取り出し、該不織布の重量並びに該不織布の平面積（平面視した面積）及び見掛け厚さ（０．５ｇ／ｃｍ２の荷重下にて測定）を測定し、次式（１）により算出する。
見掛け密度（ｇ／ｃｍ３）＝重量／（平面積×見掛け厚さ）　　　（１）
便収容部４４内に配する嵩高不織布は、各種製法のものを用いることができるが、特にエアスルー方式、エアレイド方式を用いることが、空間を確保する観点から好ましい。嵩高不織布の好ましい具体例としては、例えば、芯鞘型複合繊維（芯：ポリエチレンテレフタレート、鞘：ポリエチレン、繊度３．３〜１２ｄｔｅｘ、繊維長３８〜５１ｍｍ）をカード機にかけて繊維ウエブ（坪量２０〜４０ｇ／ｍ２）を形成し、これに熱風処理を施すことにより得られる不織布を挙げることができる。尚、図１，図３，図４においては、嵩高不織布の図示を省略してある。その他、短繊維からなるエアレイド不織布や発泡体でもよい。又、繊維集合体の小体からなる柱を、便遮蔽層のおむつ長手方向の両側部それぞれに沿って複数個間欠的に配置し、これを空間保持体としても良い。
【００２０】
便収容部内に配置する嵩高不織布８には吸水ポリマーを担時させてもよい。この場合、吸水ポリマーの働きで、便中の水分が吸収され、したがって便の粘度が増粘され、便の拡散が抑制される。この工夫により一度便収容部に取り込まれた便が、体向の変化や耐圧によって再び外に押し出されることが抑制される。
嵩高不織布に担持させる吸収ポリマーとしては、特開平１０−１１８１１７号公報の段落〔００１０〕〜〔００１３〕に記載されている吸収性ポリマーや、同公報の段落〔００１４〕〜〔００１７〕に記載されている吸収性ポリマー等が好ましく挙げられ、これらは上記増粘効果を向上させるために二種以上を併用することもできる。また、この吸収ポリマーの働きで尿に対する吸収性も向上する。
【００２１】
増粘効果を付与するためには、上記吸収ポリマーの代わりに水溶性増粘剤、例えばポリビニルアルコールやカルボキシアルキルセルロース等の糖エステル、多糖類、各種界面活性剤を用いることもできる。
前記ポリビニルアルコールとしては、その鹸化度が８５％超、特に９５％超であり、重合度が１０００〜３０００、特に１５００〜２５００であるもの等を用いることができる。前記多糖類としては、例えば特開２０００−２０１９７６号公報の段落番号〔００１２〕〜〔００１７〕に記載のものを用いることができる。
【００２２】
使い捨ておむつ１Ａの形成材料について説明すると、第１及び第２表面シート２１，２２、裏面シート３、立体ギャザー６形成用の弾性部材６１及びシート材６２としては、使い捨ておむつや生理用ナプキン等の吸収性物品において、従来、表面シート、裏面シート、立体ギャザー形成用の材料として用いられているものを特に制限なく用いることができる。
【００２３】
以下、本発明の他の実施形態としての使い捨ておむつ１Ｂ〜１Ｄについて説明する。これらの使い捨ておむつについては、主として、上述した使い捨ておむつ１Ａと異なる点について説明し、同様の点については説明を省略する。同様の点については、上述した使い捨ておむつ１Ａについての説明が適宜適用される。
【００２４】
第２実施形態の使い捨ておむつ１Ｂにおいては、図５に示すように、吸収体４の長手方向に沿って張設された一対の弾性部材（空間保持手段）９に、上部吸収体４２の両側部が直接的又は間接的に固定されており、それにより、上部吸収体（便遮蔽層）４２と下部吸収体４１とが離間して、両吸収体間に便収容部４４が形成されている。各弾性部材９の両端部は、吸収体４の長手方向における上部吸収体４２の両端が位置する部位の近傍に固定されており、各弾性部材９の中央領域（両端の固定部分を除く領域）が、着用者の肌側に向かう方向に浮かび上がり、これに吊持される形で上部吸収体４２が下部吸収体４１から離間している。
弾性部材９の形成素材としては、合成ゴム、天然ゴム、スパンデックス等を挙げることができ、弾性部材９の形態は、糸状の他、帯状、フィルム状等とすることもできる。空間保持手段としての弾性部材は、おむつ長手方向の両側に設けられた一対の立体ギャザーに配されるギャザー形成用の弾性部材であっても良い。
【００２５】
第３実施形態の使い捨ておむつ１Ｃにおいては、図６に示すように、吸収体４の幅方向中央部における下部吸収体４１と上部吸収体４２との間に、これら両吸収体４１，４２よりも細幅の中央吸収体（空間保持体）４６が介在しており、また、第２実施形態と同様に、一対の弾性部材９が、吸収体４の長手方向に沿って張設されており、これらの弾性部材９に上部吸収体４２の両側部が固定されている。そして、吸収体４の両側部において、下部吸収体４１と上部吸収体４２とが離間しており、両吸収体間に２つの便収容部４４，４４が形成されている。
【００２６】
第４実施形態の使い捨ておむつ１Ｄにおいては、図７及び図８に示すように、下部吸収体４１よりも幅広の吸収体を用いて上部吸収体４２及び空間保持体としての側部吸収体４３，４３を形成してある。即ち、幅広の吸収体における、幅方向両端縁それぞれから所定幅の領域を、下部吸収体４１と対向する面側に折り返し、折り返した部分を側部吸収体４３，４３とすると共に、折り返していない吸収体の中央領域を上部吸収体４２としてある。
また、腹側部Ａの２層構造部分Ｓに加えて、同様の２層構造部分Ｓ’を、吸収体４の背側部Ｂ側の端部付近にも形成し、何れの２層構造部分においても下部吸収体４１と上部吸収体４２とを、それらの中央部において離間させてある。そして、吸収体４の長手方向における、便の排泄ポイントＰを挟む両側に便収容部４４を形成してある。更に、上部吸収体４２の両側部及び側部吸収体（空間保持体）４３を、腹側部Ａの２層構造部分Ｓと背側部Ｂの２層構造部分Ｓ’との間に亘るように延在させ、吸収体４の幅方向における、便の排泄ポイントＰを挟む両側に、便を拡散方向を規制し便が便収容部４４内に入り易くする案内壁４７を形成してある。尚、本実施形態の使い捨ておむつにおいては、上部吸収体４２及び下部吸収体４１を一枚の表面シート２で被覆してあり、該表面シート２における、便の排泄ポイントＰ及びその周辺に位置する部分には、便が通過可能な多数の開孔（例えば直径２〜５ｍｍ程度の円孔）が形成されている。
【００２７】
第２〜第４実施形態の使い捨ておむつによれば、第１実施形態と同様の作用効果が奏される。更に、第４実施形態の使い捨ておむつによれば、着用者の背中側に便が付着することを効果的に防止することができる。
【００２８】
本発明は、上述した実施形態に制限されず、本発明の趣旨を逸脱しない範囲内において種々変更可能である。
例えば、空間保持体としては、液吸収性を有しないものを用いることもできる。また、空間保持体は、厚み方向の圧縮に対して圧縮回復性を有するものに限られず、厚み方向の荷重に対して厚みが殆ど変化しないようなものであっても良い。液吸収性を有しない場合の空間保持体の形成材料としては、非連続泡の発泡体等を挙げることができる。
また、空間保持手段としての側部吸収体４３や中央吸収体４６は、第４実施形態のように上部吸収体と一体的に形成しても良いし、下部吸収体と一体的に形成しても良い。
【００２９】
また、便収容部４４における、背側部Ｂ寄りの端部と反対側の端部は、便導入口と同様に開口していても良いし閉鎖されていても良い。また、便収容部の形状は、平面視して矩形状の他、平面視して半円形、楕円形、三角形等としても良い。
また、第２及び第３実施形態のように、上部吸収体を弾性部材により吊持して該上部吸収体と上部吸収体とを離間させる場合の弾性部材は、吸収体を横切る方向に張設されていても良い。
本発明の使い捨ておむつは、成人用の使い捨ておむつであっても良いが、特に新生児から低月齢の乳幼児用に適している。
上述した一の実施形態における説明省略部分及び一の実施形態のみが有する要件は、それぞれ他の実施形態に適宜適用することができ、また、各実施形態における要件は、実施形態相互間で適宜置換可能である。
【００３０】
【実施例】
（実施例１）
粉砕パルプ１００重量部と吸収ポリマー５０重量部を合計１５０ｇ／ｍ２で積繊し、坪量１６ｇ／ｍ２のティッシュで包んだもの（長さ１５０ｍｍ、幅１４０ｍｍ）の幅方向両端部を、それぞれ幅２０ｍｍで裏面シート側に折り込み、便遮蔽層（空間保持体付）を得た。この便遮蔽層の液通過時間は３００秒以上であった。
得られた便遮蔽層１１を、図９（ａ）に示すように、粉砕パルプを２００ｇ／ｍ２で積繊し、坪量１６ｇ／ｍ２のティッシュで包んだ下部吸収体１２（長さ３００ｍｍ、幅１００ｍｍ）上に、腹側の先端部の位置を合わせるように重ね合わせた。これにより、便遮蔽層１１の下に便収容部１３が形成されており、該便遮蔽層１１の背側寄りの端部に断面コの字型の便導入口を有する積層体が得られる。
得られた積層体と、表面シートとしてポリエチレン／ポリプロピレンの芯鞘型複合繊維（２．２ｄｔｅｘ、繊維長５１ｍｍ）からなるエアスルー不織布（坪量２５ｇ／ｍ２、繊維表面は界面活性剤で親水処理されている。）、裏面シートとしてポリエチレン／炭酸カルシウムからなる延伸開孔フィルムを用いて、使い捨ておむつを得た。それ以外の部材には公知の材料を用いた。
【００３１】
（実施例２）
便遮蔽層として、粉砕パルプ１００重量部と吸収ポリマー５０重量部からなる坪量１５０ｇ／ｍ２のエアレイド型の吸収体を用いた以外は実施例１と同様にして同様の形態の使い捨ておむつを得た。このおむつに用いた便遮蔽層の液通過時間は２１０秒であった。
【００３２】
（実施例３）
実施例１において、便遮蔽層（空間保持体付）下の便収容部（一対の空間保持体間の空間）に、図９（ｂ）に示すように、ポリエチレン／ポリエチレンテレフタレートの芯鞘型複合繊維（５．６ｄｔｅｘ、繊維長５１ｍｍ）からなるエアスルー不織布（坪量３０ｇ／ｍ２を２枚重ね，嵩高不織布）１４を配した以外は実施例１と同様にして使い捨ておむつを得た。
【００３３】
（実施例４）
ポリエチレン／ポリプロピレンの芯鞘型複合繊維（３．３ｄｔｅｘ、繊維長５１ｍｍ、立体縮繊維）から成るエアスルー不織布（坪量３００ｇ／ｍ２、繊維表面は界面活性剤で親水処理されている。）に、粉砕パルプ１００重量部と吸収ポリマー５０重量部を合計１５０ｇ／ｍ２で積繊し、坪量１６ｇ／ｍ２のティッシュで包んだもの（長さ１５０ｍｍ、幅１４０ｍｍ）の幅方向両端部を幅２０ｍｍで裏面シート側に折り込み、低遮蔽層（空間保持体付）を得た。この便遮蔽層の液通過時間は３００秒以上であった。この便遮蔽層を用いる以外は実施例３と同様にして使い捨ておむつを得た。
【００３４】
（実施例５）
図９（ｃ）に示すように、実施例１における粉砕パルプ層１２上に、幅２０ｍｍ、長さ１５０ｍｍの一対の発泡ウレタンシート（空間保持体）１５，１５及び実施例３のエアスルー不織布１４をのせ、更に、これらの上に実施例１で用いた便遮蔽層（但し、両端部は折り曲げない）１１を幅１００ｍｍで積層して得られた積層体を用いた以外は実施例１と同様にして使い捨ておむつを得た。
【００３５】
（実施例６）
実施例２のエアレイド不織布の両端に、ポリプロピレン製ＳＭＳ不織布（スパンボンド／メルトブローン／スパンボンドの積層不織布）で、弾性体を２倍伸長状態に包んだものを配し、便遮蔽層が裏面シート上に浮き上がる構成とした以外は実施例１と同様にして使い捨ておむつを得た（図５参照）。
【００３６】
（実施例７）
図９（ｄ）に示すように、ポリプロピレン製ＳＭＳ（スパンボンド／メルトブローン／スパンボンド）不織布（坪量１５ｇ／ｍ２）１５上に、粉砕パルプ１００重量部と吸収ポリマー５０重量部を合計１５０ｇ／ｍ２で積繊し、これを坪量１６ｇ／ｍ２のティッシュで包んだもの１６を重ねて、便遮蔽層１１を形成した（長さ１５０ｍｍ、幅１００ｍｍ）。
粉砕パルプを２００ｇ／ｍ２で積繊し、坪量１６ｇ／ｍ２のティッシュで包んだもの（長さ３００ｍｍ、幅１４０ｍｍ）１７の幅方向両端部を幅２０ｍｍで表面シート側に折り上げ、これに上記の便遮蔽層１１を重ねて積層体を得た。この積層体を用いた以外は実施例１と同様にして使い捨ておむつを得た。
【００３７】
（実施例８）
実施例１と同様にして得た便遮蔽層１１（空間保持体付）の便収容部（一対の空間保持体間の空間）に、図９（ｅ）（ｆ）に示すように、ポリエチレン／ポリエチレンテレフタレートの芯鞘型複合繊維（５．６ｄｔｅｘ、繊維長５１ｍｍ）から成るエアスルー不織布（坪量３０ｇ／ｍ２を２枚重ね、３００ｍｍ）１４を、便収容部の便道入口１８から略半分が延出するように配した。得られた積層体と表面シート、裏面シート、その他の部材を組み合わせて使い捨ておむつを得た。
【００３８】
（比較例１）
粉砕パルプ１００重量部と吸収ポリマー５０重量部を合計１５０ｇ／ｍ２で積層し、坪量１６ｇ／ｍ２のティッシュで包んだもの（長さ３００ｍｍ、幅１００ｍｍ）を上部吸収体とした。粉砕パルプを１００ｇ／ｍ２で積繊し、坪量１６ｇ／ｍ２のティッシュで包んだものに、前記上部吸収体を重ねて積層体を得た。この積層体は、上部吸収体と下部粉砕パルプ層の間には空隙が形成されない。この積層体を用いる以外は実施例１と同様にして使い捨ておむつを得た。
【００３９】
（比較例２）
図９（ｇ）に示すように、比較例１の上部吸収体１９に長さ方向１０ｃｍ、幅方向６ｃｍの楕円形の便収容部１９ａを設けた以外は、比較例１と同様にして使い捨ておむつを得た。便収容部１９ａの上面は、表面シートで覆われている。この例では、上部吸収体と裏面シート間には、便収容部が確保されていない。
【００４０】
（比較例３）
実施例５の便遮蔽層を導入しない以外は実施例１と同様に使い捨ておむつを得た。
尚、実施例及び比較例で得られた使い捨ておむつの構成を表１に纏めて示した。
【００４１】
【表１】
2004008301.tif 000003
【００４２】
【評価方法】
ベビーモデルに各おむつを着用させ、おすわり状態で肛門部より、上記の液通過時間の測定に用いた試験液を５ｇ／秒の速度で３０ｇを排泄させ、５分放置後仰向けに寝かせた。液が圧力を受けて広がる程度を観察し、液が拡がったものについて、特に前身頃の身体の汚れを評価した。
【００４３】
（結果）
実施例の各おむつは、便が便収容部に収容され、圧力下においても便遮蔽層の働きで身体側に戻らず、したがって身体（前見頃）を汚さなかった。
これに対して、比較例１のおむつは、便が吸収されずに表面シート上に残り、そのため、身体に汚れを残した。比較例２、３のおむつは、便がくぼみに落ち込むが、圧力を掛けると便が後戻りして身体を汚した。
【００４４】
【発明の効果】
本発明の使い捨ておむつによれば、排尿部ないし陰部に対して便が付着しにくく、おむつの交換を容易に行うことができ、また、身体に付着した便の拭きすぎや拭き残しによるカブレの発生を防止することができる。
【図面の簡単な説明】
【図１】図１は、第１実施形態の使い捨ておむつを一部破断して示す概略斜視図である。
【図２】図２（ａ）は、図１のＸ−Ｘ線断面を示す模式断面図であり、図２（ｂ）は、図１のＹ−Ｙ線断面を示す模式断面図である。
【図３】図３は、本発明の作用効果を説明するための説明図である。
【図４】図４は、図１のＺ−Ｚ線断面を示す模式断面図である。
【図５】図５は、第２実施形態の使い捨ておむつを示す図で、図２（ａ）に相当する図である。
【図６】図６は、第３実施形態の使い捨ておむつを示す図で、図２（ａ）に相当する図である。
【図７】図７は、第４実施形態の使い捨ておむつの概略形状を示す模式平面図である。
【図８】図８（ａ）は、図７のＸ−Ｘ線断面を示す模式断面図であり、図８（ｂ）は、図７のＹ−Ｙ線断面を示す模式断面図である。
【図９】図９は、本発明の実施例及び比較例を説明するための図である。
【符号の説明】
１Ａ〜１Ｄ　使い捨ておむつ
２　表面シート
２１　第１表面シート
２２　第２表面シート
３　裏面シート
４　吸収体
４１　下部吸収体
４２　上部吸収体（便遮蔽層）
４３　側部吸収体（空間保持体，空間保持手段）
４４　便収容部
４５　便導入口
５　ファスニングテープ
Ａ　腹側部
Ｂ　背側部
Ｐ　便の排泄ポイント
【図１】
2004008301.tif 000004
【図２】
2004008301.tif 000005
【図３】
2004008301.tif 000006
【図４】
2004008301.tif 000007
【図５】
2004008301.tif 000008
【図６】
2004008301.tif 000009
【図７】
2004008301.tif 000010
【図８】
2004008301.tif 000011
【図９】
2004008301.tif 000012